(57)【要約】【課題】  ネットワークを介して接続され、特定すべき対象となる機器の数が莫大な環境において、容易に所望の情報機器にアクセス可能な技術を提供する。【解決手段】  各ＩＰアドレスに当該ＩＰアドレスを有する端末を使用する使用者の個人情報などの属性情報を対応付けて管理する。具体的には、使用者が情報処理手段（Ｇ３−Ｍ２）から個人情報を情報提供側（Ｇ１）の記憶手段（Ｇ１−Ｍ３）に登録することにより、使用者が相手方機器のＩＰアドレスを知らなくても情報提供側（Ｇ１）の情報公開手段（Ｇ１−Ｍ１）にアクセスし、属性情報から検索を行うことにより使用者の情報を知る。【選択図】  図１
2005286725.tif 000002
【特許請求の範囲】
【請求項１】
ネットワークに接続される各端末に付与されたＩＰアドレスを管理するＩＰアドレス管理装置であって、
前記ＩＰアドレスと各端末を特定する情報とを対応付けて格納するＩＰアドレス関連情報格納手段と、
利用者からの入力を受け付けるための画面データを生成して利用者に提示する画面データ生成手段と、
前記画面データ生成手段を介して受け付けた利用者からの入力に従って処理を行い、その結果を前記画面データ生成手段を介して利用者に提供する処理手段とを備え、
前記処理手段は、前記画面データ生成手段を介して、前記特定する情報の一部を受け取って、対応するＩＰアドレスを要求された場合は、前記ＩＰアドレス関連情報格納手段から該当するＩＰアドレスを抽出して結果として受け渡し、
前記画面データ生成手段は、前記結果を利用者に提示する画面データを生成し、前記抽出したＩＰアドレスとともに利用者に提示すること
を特徴とするＩＰアドレス管理装置。
【請求項２】
請求項１記載のＩＰアドレス管理装置であって、
前記ＩＰアドレス関連情報格納手段に格納されている各機器を特定する情報は、当該機器の利用者の個人情報および当該機器の利用者の認証情報であること
を特徴とするＩＰアドレス管理装置。
【請求項３】
ネットワークに接続された端末間でＩＰアドレスを利用して通信を行うネットワークシステムであって、
前記ネットワークに接続されるそれぞれの端末に付与された前記ＩＰアドレスを管理するＩＰアドレス管理装置を備え、
前記ＩＰアドレス管理装置は、
前記ＩＰアドレスと当該ＩＰアドレスを有する端末を特定する情報とを対応付けて格納するＩＰアドレス関連情報格納手段と、
利用者からの入力を受け付けるための画面データを生成して利用者に提示する画面データ生成手段と、
前記画面データ生成手段を介して受け付けた利用者からの入力に従って処理を行い、その結果を前記画面データ生成手段を介して利用者に提供する処理手段とを備え、
前記処理手段は、前記画面データ生成手段を介して、前記特定する情報の一部を受け取って、対応するＩＰアドレスを要求された場合は、前記ＩＰアドレス関連情報格納手段から該当するＩＰアドレスを抽出して結果として受け渡し、
前記画面データ生成手段は、前記結果を利用者に提示する画面データを生成し、前記抽出したＩＰアドレスとともに利用者に提示し、
前記端末は、
前記画面データ生成手段が生成した画面データを表示し利用者からの入力を受け付ける入力受付手段と、
前記画面データ生成手段を介して受信したＩＰアドレスを用いて、前記ネットワークに接続された当該ＩＰアドレスを有する端末との接続を行う接続手段と、を備えること
を特徴とするネットワークシステム。
【発明の詳細な説明】
【技術分野】
【０００１】
本発明はＩＰｖ６技術に係わり、特にＩＰｖ６に対応した装置の装置自体の検索に関する。
【背景技術】
【０００２】
今日、情報通信インフラストラクチャーが世界的に発展を遂げつつあり、中でもインターネットおよびそれを基盤とした各種情報通信技術は格段の勢いで拡がりを見せている。インターネットでは情報通信を行うにあたり、その基幹技術として、基本通信規約に定められている『インターネットプロトコル（以下ＩＰと表記）』を利用する。本規約に従ったＩＰアドレスを、情報通信を行う各機器に割り当てる事により、その機器がＩＰネットワーク上で認識され、情報を他のＩＰネットワーク上の機器に送信したり、他国の機器にアクセスして情報を取得したりする事が可能になる。
【０００３】
現在、最も一般的にインターネットで利用されているＩＰは、Ｉｎｔｅｒｎｅｔ  Ｐｒｏｔｏｃｏｌ  Ｖｅｒｓｉｏｎ  ４（以下ＩＰｖ４と表記）と呼ばれるものである。ＩＰｖ４では、ＩＰアドレスを３２ビットの数値で管理している。利用者にとって、３２ビットの数値の羅列で表現されるＩＰアドレスをそのままの形で覚えて用いるのは困難である。ＩＰｖ４では、人間にとって親しみやすい環境を提供するため、数値の羅列であるＩＰアドレスを論理的な文字列に変換し、また必要に応じてその逆変換を行うドメイン・ネーム・システム（以下ＤＮＳと表記）と呼ばれるアドレス表記変換機能が導入されている。
【０００４】
しかし、近年のインターネットの急速な普及により、ＩＰアドレスを必要とする情報端末などの機器の数が急増し、ＩＰｖ４におけるＩＰアドレスの不足が予想されている。そこで、ＩＰｖ４の次のバージョンである１２８ビットでＩＰアドレスを管理する、Ｉｎｔｅｒｎｅｔ  Ｐｒｏｔｏｃｏｌ  Ｖｅｒｓｉｏｎ  ６（以下ＩＰｖ６と表記）が開発され、積極的に実験・採用されてきている。
【０００５】
ＩＰｖ６では、ＩＰアドレスの数が膨大になるため、これまでＩＰｖ４ではＩＰアドレス数が足りずに割り当てが行えなかった情報端末１つ１つに、インターネットを介して直接特定可能なグローバルアドレスであるＩＰアドレスを持たせる事が可能になる。これにより、ＩＰｖ４で実現が困難であったピアツーピア通信（情報端末同士でサーバを経由せず直接行う通信）や情報端末の遠隔操作などが行えるようになる。ＩＰｖ６においても、ＩＰｖ４と同様の事情からＤＮＳによるＩＰアドレスの文字列変換機能は提供されている（例えば、特許文献１参照）。
【０００６】
【特許文献１】特開２００３−２９８６１７号公報
【発明の開示】
【発明が解決しようとする課題】
【０００７】
ＩＰｖ４によるネットワークでは、グローバルアドレスが割り当てられネットワークに接続される機器は、主に企業・団体等のサーバ機器である場合が多く、その数も限られている。しかし、ＩＰｖ６ネットワークでは、サーバ機器のみならず、パーソナルコンピュータや携帯端末、家電製品にいたるまで個人の所有物等にもそれぞれグローバルアドレスが割り当てられて接続されることとなる。すなわち、現在発展途上であるＩＰｖ６ネットワークが高度に発展した場合、非常に多くの情報機器が、インターネットを介して直接識別可能なグローバルアドレスを持った形でネットワーク上に存在することとなる。
【０００８】
ネットワーク上に存在する機器を有効に活用するためには、ネットワーク上のどこからでも、容易に各機器を検索、特定可能なシステムが必要である。対象となる機器数が莫大な環境では、特定の情報装置のＩＰアドレスを抽出するために、異なるアプローチ、複数のアプローチを用意することが望ましいが、ＩＰアドレスに対して１つの文字列を対応付けるだけの現状のＤＮＳによるシステムでは、到底不十分である。
【０００９】
また、ＤＮＳでは、上述のように、個々のグローバルアドレスについて、ユニークな文字列を登録する必要がある。しかし、対象となる機器の数が莫大な環境では、個々のグローバルアドレスに対し、利用者にとって親しみやすい範囲でユニークな文字列を選択することは難しい。
【００１０】
上記事情に鑑み、本発明は、ネットワークを介して接続され、特定すべき対象となる機器の数が莫大な環境において、容易に所望の情報機器にアクセス可能な技術を提供することを目的とする。
【課題を解決するための手段】
【００１１】
ＩＰアドレスに当該ＩＰアドレスが割り当てられた機器の所有者の属性情報を対応付けて管理する。
【００１２】
すなわち、ネットワークに接続される各端末に付与されたＩＰアドレスを管理するＩＰアドレス管理装置であって、前記ＩＰアドレスと各端末を特定する情報とを対応付けて格納するＩＰアドレス関連情報格納手段と、利用者からの入力を受け付けるための画面データを生成して利用者に提示する画面データ生成手段と、前記画面データ生成手段を介して受け付けた利用者からの入力に従って処理を行い、その結果を前記画面データ生成手段を介して利用者に提供する処理手段とを備え、前記処理手段は、前記画面データ生成手段を介して、前記特定する情報の一部を受け取って、対応するＩＰアドレスを要求された場合は、前記ＩＰアドレス関連情報格納手段から該当するＩＰアドレスを抽出して結果として受け渡し、前記画面データ生成手段は、前記結果を利用者に提示する画面データを生成し、前記抽出したＩＰアドレスとともに利用者に提示することを特徴とするＩＰアドレス管理装置を提供する。
【発明の効果】
【００１３】
本発明によれば、対象となる情報機器が莫大な数の環境において、容易に所望の情報機器にアクセス可能な技術を提供できる。
【発明を実施するための最良の形態】
【００１４】
本発明の実施形態では、新たなネットワーク機器をネットワークに接続する場合、利用者が、当該機器に関する予め定められた種類の情報を、所定の場所に、当該機器の属性情報として当該機器のＩＰアドレスとともに登録する。一旦属性情報が登録されると、その後は、その属性情報の一部または全部を用いて検索することにより、その機器にアクセスすることができる。
【００１５】
また、登録された属性情報は、ＩＰアドレスに変換し当該機器と接続するため以外にも、用いることができる。
【００１６】
本実施形態では、登録すべき情報が漏れなく登録されるようにＷｅｂページによる入力インタフェースを利用者に提供する。利用者側は、新たに接続した機器から登録をしてもよいし、別の情報処理機器から新たに接続した機器に関する情報を登録してもよい。
【００１７】
以下、本発明の実施形態を図面を用いて説明する。
【００１８】
図１は、本実施形態のシステム全体の構成図である。本実施形態のシステムは、情報提供側システム（Ｇ１）と、情報端末使用側システム（Ｇ２）および（Ｇ３）と、情報提供側システム（Ｇ１）と情報端末使用側システム（Ｇ２）、（Ｇ３）とを接続するインターネット等によるネットワーク（Ｇ４）とを備える。
【００１９】
情報端末提供側システム（Ｇ１）は、ネットワーク（Ｇ４）に接続される各機器の、ＩＰアドレスと当該機器を特定する属性情報との組の登録を受け付け、保持し、情報端末使用側システム（Ｇ２）からの指示に応じて提供する機能を有するＩＰアドレス管理システムである。
【００２０】
情報提供側システム（Ｇ１）は、情報公開装置（Ｇ１−Ｍ１）、業務処理装置（Ｇ１−Ｍ２）、記憶装置（Ｇ１−Ｍ３）、インタフェース装置（Ｇ１−Ｍ４）とを備える。
【００２１】
情報公開装置（Ｇ１−Ｍ１）は、ネットワーク（Ｇ４）からのアクセスに応じて、自身または記憶装置（Ｇ１−Ｍ３）が保持している情報をＨＴＴＰなどの既存技術を用いて返送する。情報公開装置（Ｇ１−Ｍ１）は、例えば、Ｗｅｂサーバ機能を備えるサーバコンピュータなどの情報処理装置で実現することができる。
【００２２】
業務処理装置（Ｇ１−Ｍ２）は、情報公開装置（Ｇ１−Ｍ１）を介して指示、情報を受け取り、所定の処理を行い、その結果を、実行情報として提供する。また、記憶装置（Ｇ１−Ｍ３）に対して受け取った情報の登録、更新、検索、削除を行う。業務処理装置（Ｇ１−Ｍ２）は、アプリケーションサーバ機能を備えるサーバコンピュータなどの情報処理装置で実現することができる。
【００２３】
記憶装置（Ｇ１−Ｍ３）は、情報を保持する。また、業務処理装置（Ｇ１−Ｍ２）からの指示により新たな情報を格納し、また、既に格納している情報の変更を行う。さらに、情報公開装置（Ｇ１−Ｍ１）に対し、格納している情報を提供する。記憶装置（Ｇ１−Ｍ３）には、データベースサーバなどが考えられる。
【００２４】
インタフェース装置（Ｇ１−Ｍ４）は、ＬＡＮなどの内部ネットワークで接続される情報提供側システム（Ｇ１）を構成する各装置（Ｇ１−Ｍ１）、（Ｇ１−Ｍ２）、（Ｇ１−Ｍ３）をネットワーク（Ｇ４）に接続する。インタフェース装置（Ｇ１−Ｍ４）は、ゲートウエイ装置、フィルタ装置などで実現することができる。
【００２５】
情報端末使用者側システム（Ｇ２）は、使用者の指示を受け付け、処理を行う情報端末側登録・更新・検索・削除装置（Ｇ２−Ｍ２）を備える。
【００２６】
情報端末側登録・更新・検索・削除装置（Ｇ２−Ｍ２）は、ネットワーク（Ｇ４）とのインタフェースを備え、ネットワーク（Ｇ４）に相互接続される。情報端末側登録・更新・検索・削除装置（Ｇ２−Ｍ２）は、情報公開装置（Ｇ１−Ｍ１）によって生成された情報を表示し、また、当該情報の更新、検索、削除の使用者からの指示を受け付ける。
【００２７】
情報端末側登録・更新・検索・削除装置（Ｇ２−Ｍ２）は、例えば、Ｗｅｂブラウザ機能を備えるパーソナルコンピュータ等の情報処理装置で実現することができる。また、情報端末側登録・更新・検索・削除装置（Ｇ２−Ｍ２）のネットワーク（Ｇ４）との接続技術としては、ダイアルアップ、ＩＳＤＮ、ＡＤＳＬ、ＣＡＴＶ、ＦＴＴＨなどの既存技術を用いた様々な形態が考えられる。
【００２８】
情報端末使用側システム（Ｇ３）も、基本的に上記情報端末使用者側システム（Ｇ２）と同様の構成を備える。すなわち、使用者からの指示を受け付ける情報端末側登録・更新・検索・削除装置（Ｇ３−Ｍ２）を備える。情報端末側登録・更新・検索・削除装置（Ｇ３−Ｍ２）は、情報端末側登録・更新・検索・削除装置（Ｇ２−Ｍ２）と基本的に同様の機能を備える。
【００２９】
なお、本発明の実施形態では、情報端末使用側システムが２つである場合を例示するが、情報端末使用者側システムの数は、これに限られない。また、各情報端末使用者側システム（Ｇ２）、（Ｇ３）において、それぞれ１つの情報端末側登録・更新・検索・削除装置（Ｇ２−Ｍ２）、（Ｇ３−Ｍ２）が接続されている場合を例示するが、接続される情報端末側登録・更新・検索・削除装置数はこれに限られない。
【００３０】
次に、上述の情報公開装置（Ｇ１−Ｍ１）、業務処理装置（Ｇ１−Ｍ２）、記憶装置（Ｇ１−Ｍ３）、情報端末側登録・更新・検索・削除装置（Ｇ２−Ｍ２）、情報端末側登録・更新・検索・削除装置（Ｇ３−Ｍ３）のハードウエア構成について、図２を用いて説明する。これらの装置のハードウエア構成は基本的に同一であるため、これらの装置を代表して装置（Ｅ１）とし、以下に説明する。
【００３１】
装置（Ｅ１）は、中央演算装置（Ｅ１−Ｈ１）、主記憶装置（Ｅ１−Ｈ２）、補助記憶装置（Ｅ１−Ｈ３）、表示装置（Ｅ１−Ｈ４）、入力装置（Ｅ１−Ｈ５）、通信装置（Ｅ１−Ｈ６）、外部記憶媒体制御装置（Ｅ１−Ｈ７）、内部経路（Ｅ１−Ｈ８）を備える。装置（Ｅ１）を構成するＥ１−Ｈ１からＥ１−Ｈ７の各装置は、内部経路（Ｅ１−Ｈ８）と接続機能を有する。
【００３２】
中央演算装置（Ｅ１−Ｈ１）は、補助記憶装置（Ｅ１−Ｈ３）に格納されたプログラムを主記憶装置（Ｅ１−Ｈ２）に読み込み、実行することにより、各装置特有の機能を実現する。なお、プログラムは、外部記憶媒体に格納されていてもよい。この場合は、中央演算装置（Ｅ１−Ｈ１）は、外部記憶媒体制御装置（Ｅ１−Ｈ７）を介して外部記憶媒体から、プログラムを主記憶装置（Ｅ１−Ｈ２）に読み込み、実行する。さらに、プログラムは、通信装置（Ｅ１−Ｈ６）を介してネットワーク（Ｇ４）から取得されてもよい。
【００３３】
表示装置（Ｅ１−Ｈ４）は、情報を表示する。例えば、表示装置（Ｅ１−Ｈ４）としては、モニタ、プリンタなどが考えられる。
【００３４】
入力装置（Ｅ１−Ｈ５）は、使用者からの情報の入力を受け付ける。入力装置（Ｅ１−Ｈ５）としては、キーボード、マウスなどが考えられる。
【００３５】
通信装置（Ｅ１−Ｈ６）は、ネットワーク（Ｇ４）または他の装置と接続する内部ネットワークに接続するための処理を行う。
【００３６】
外部記憶媒体制御装置（Ｅ１−Ｈ７）は、外部記録媒体との接続機能を有する。外部記憶媒体としては、テープ、磁気ディスク、光ディスクなどの様々な既存技術が考えられる。
【００３７】
本実施形態では、端末の使用者は、これらの装置を用いて、端末を特定するＩＰアドレスと関連付けて属性情報を情報提供側システム（Ｇ１）の記憶装置（Ｇ１−Ｍ３）へ登録、更新、削除などを行う。また、ネットワーク（Ｇ４）に接続している利用者は、登録された属性情報を検索することにより、所望の情報提供側システム（Ｇ１）を抽出する。
【００３８】
なお、本実施形態において、端末の使用者とは、その端末の保有者のことである。また、属性情報とは、各端末はその保有者の氏名、住所、電話番号といった個人情報と、各個人を特定するために予め付与されるＩＤである使用者独自名、パスワードといった登録された情報へのアクセス権を示す情報とからなる。
【００３９】
処理の手順の説明に先立ち、情報公開装置（Ｇ１−Ｍ１）を介して情報提供側システム（Ｇ１）が、情報端末使用側システム（Ｇ２）に向けて提供する情報を入力するための画面について説明する。
【００４０】
まず、本実施形態における画面の遷移について、図３を用いて説明する。
【００４１】
本実施形態には、登録したい端末の属性を登録する使用者初期登録処理、既に登録された端末の属性を変更する使用者登録変更処理、同じ属性情報を有しＩＰアドレスと端末の種別を示す情報のみが異なる端末の登録を追加する使用者端末追加処理、登録された端末の属性情報を削除する使用者削除処理、登録された端末を検索する使用者検索処理とがある。これらの処理は、情報端末使用者側システム（Ｇ２）を介して行われる。なお、処理対象の端末自体を、情報端末使用者側システム（Ｇ２）とし、当該情報端末使用者側システム（Ｇ２）が接続された際、当該情報端末使用者側システム（Ｇ２）から行ってもよい。
【００４２】
使用者初期登録処理においては、メニュー画面（Ｐ０１）、使用者初期登録画面（Ｐ０２）、使用者初期登録確認画面（Ｐ０３）、使用者初期登録完了画面（Ｐ０４）と進む。使用者登録変更においては、メニュー画面（Ｐ０１）、使用者認証画面（Ｐ０５）、使用者登録変更画面（Ｐ０６）、使用者登録変更確認画面（Ｐ０７）、使用者登録変更確認画面（Ｐ０８）と進む。
【００４３】
使用者端末追加処理においては、メニュー画面（Ｐ０１）、使用者認証画面（Ｐ０５）、使用者端末追加画面（Ｐ０９）、使用者端末追加確認画面（Ｐ１０）、使用者端末追加完了画面（Ｐ１１）と進む。
【００４４】
使用者削除処理においては、メニュー画面（Ｐ０１）、使用者認証画面（Ｐ０５）、使用者削除確認画面（Ｐ１２）、使用者削除完了画面（Ｐ１３）と進む。
【００４５】
使用者検索処理においては、メニュー画面（Ｐ０１）、使用者検索画面（Ｐ１４）、使用者検索結果画面（Ｐ１５）、使用者検索結果詳細画面（Ｐ１６）と進む。
【００４６】
次に本実施形態における各画面の詳細について、図４から図１９を用いて説明する。
【００４７】
まず、メニュー画面（Ｐ０１）について、図４を用いて説明する。メニュー画面（Ｐ０１）は、利用者に最初に提示される画面であり、各処理へと進むためのものである。メニュー画面（Ｐ０１）は、使用者初期登録画面（Ｐ０２）へと進む使用者初期登録処理ボタン（Ｐ０１−Ｂ１）、使用者認証画面（Ｐ０５）へと進む使用者認証処理ボタン（Ｐ０１−Ｂ２）、使用者検索画面（Ｐ１４）へと進む使用者検索処理ボタン（Ｐ０１−Ｂ３）を備える。
【００４８】
使用者初期登録画面（Ｐ０２）について、図５を用いて説明する。使用者初期登録画面（Ｐ０２）は、使用者独自名（Ｄ０１）を入力するための使用者独自名入力欄（Ｐ０２−Ｉ１）、使用者パスワード（Ｄ０２）を入力するための使用者パスワード入力欄（Ｐ０２−Ｉ２）、確認用の使用者パスワード（Ｄ３０）を入力するための使用者パスワード再入力欄（Ｐ０２−Ｉ３）、使用者名（Ｄ０３）を入力するための使用者名入力欄（Ｐ０２−Ｉ４）、使用者郵便番号（Ｄ０４）を入力するための使用者郵便番号入力欄（Ｐ０２−Ｉ５）、使用者住所（Ｄ０５）を入力するための使用者住所入力欄（Ｐ０２−Ｉ６）、使用者電話番号（Ｄ０６）を入力するための使用者電話番号入力欄（Ｐ０２−Ｉ７）、使用者ＩＰアドレス（Ｄ０７）を入力するための使用者ＩＰアドレス入力欄（Ｐ０２−Ｉ８）、使用者情報端末名（Ｄ０８）を入力するための使用者情報端末名入力欄（Ｐ０２−Ｉ９）および使用者初期登録確認画面（Ｐ０３）に進む使用者初期登録ボタン（Ｐ０２−Ｂ１）を備える。
【００４９】
使用者初期登録確認画面（Ｐ０３）について、図６を用いて説明する。使用者初期登録確認画面（Ｐ０３）は、使用者独自名（Ｄ０１）を表示するための使用者独自名表示欄（Ｐ０３−Ｏ１）、使用者名（Ｄ０３）を表示するための使用者名表示欄（Ｐ０３−Ｏ２）、使用者郵便番号（Ｄ０４）を表示するための使用者郵便番号表示欄（Ｐ０３−Ｏ３）、使用者住所（Ｄ０５）を表示するための使用者住所表示欄（Ｐ０３−Ｏ４）、使用者電話番号（Ｄ０６）を表示するための使用者電話番号表示欄（Ｐ０３−Ｏ５）、使用者ＩＰアドレス（Ｄ０７）を表示するための使用者ＩＰアドレス表示欄（Ｐ０３−Ｏ６）、使用者情報端末名（Ｄ０８）を表示するための使用者情報端末名表示欄（Ｐ０３−Ｏ７）および使用者初期登録完了画面（Ｐ０４）に進む使用者初期登録確認ボタン（Ｐ０３−Ｂ１）を備える。
【００５０】
使用者初期登録完了画面（Ｐ０４）について、図７を用いて説明する。使用者初期登録完了画面（Ｐ０４）には、使用者初期登録が完了したことを意味する表示を行う表示部を備える。
【００５１】
使用者認証画面（Ｐ０５）について、図８を用いて説明する。使用者認証画面（Ｐ０５）は、使用者独自名（Ｄ０１）を入力するための使用者独自名入力欄（Ｐ０５−Ｉ１）、使用者パスワード（Ｄ０２）を入力するための使用者パスワード入力欄（Ｐ０５−Ｉ２）、確認用の使用者パスワード（Ｄ３０）を入力するための使用者パスワード再入力欄（Ｐ０５−Ｉ３）および使用者登録変更画面（Ｐ０６）に進む使用者変更ボタン（Ｐ０５−Ｂ１）、使用者端末追加画面（Ｐ０９）に進む使用者端末追加ボタン（Ｐ０５−Ｂ２）、使用者削除確認画面（Ｐ１２）に進む使用者削除ボタン（Ｐ０５−Ｂ３）を備える。
【００５２】
使用者登録変更画面（Ｐ０６）について、図９を用いて説明する。使用者登録変更画面（Ｐ０６）は、使用者独自名（Ｄ０１）を変更するための使用者独自名入力欄（Ｐ０６−Ｉ１）、使用者パスワード（Ｄ０２）を変更するための使用者パスワード入力欄（Ｐ０６−Ｉ２）、確認用の使用者パスワード（Ｄ３０）を入力するための使用者パスワード再入力欄（Ｐ０６−Ｉ３）、使用者名（Ｄ０３）を変更するための使用者名入力欄（Ｐ０６−Ｉ４）、使用者郵便番号（Ｄ０４）を変更するための使用者郵便番号入力欄（Ｐ０６−Ｉ５）、使用者住所（Ｄ０５）を変更するための使用者住所入力欄（Ｐ０６−Ｉ６）、使用者電話番号（Ｄ０６）を変更するための使用者電話番号入力欄（Ｐ０６−Ｉ７）、使用者ＩＰアドレス（Ｄ０７）を変更するための使用者ＩＰアドレス入力欄（Ｐ０６−Ｉ８）、使用者情報端末名（Ｄ０８）を変更するための使用者情報端末名入力欄（Ｐ０６−Ｉ９）および使用者登録変更確認画面（Ｐ０７）に進む使用者登録変更ボタン（Ｐ０６−Ｂ１）を備える。
【００５３】
使用者登録変更確認画面（Ｐ０７）について、図１０を用いて説明する。使用者登録変更確認画面（Ｐ０７）は、使用者独自名（Ｄ０１）を表示するための使用者独自名表示欄（Ｐ０７−Ｏ１）、使用者名（Ｄ０３）を表示するための使用者名表示欄（Ｐ０７−Ｏ２）、使用者郵便番号（Ｄ０４）を表示するための使用者郵便番号表示欄（Ｐ０７−Ｏ３）、使用者住所（Ｄ０５）を表示するための使用者住所表示欄（Ｐ０７−Ｏ４）、使用者電話番号（Ｄ０６）を表示するための使用者電話番号表示欄（Ｐ０７−Ｏ５）、使用者ＩＰアドレス（Ｄ０７）を表示するための使用者ＩＰアドレス表示欄（Ｐ０７−Ｏ６）、使用者情報端末名（Ｄ０８）を表示するための使用者情報端末名表示欄（Ｐ０７−Ｏ７）および使用者登録変更完了画面（Ｐ０８）に進む使用者登録変更確認ボタン（Ｐ０７−Ｂ１）を備える。
【００５４】
使用者登録変更完了画面（Ｐ０８）について、図１１を用いて説明する。使用者登録変更完了画面（Ｐ０８）は、使用者登録変更が完了した旨を表示する表示部を備える。
【００５５】
使用者端末追加画面（Ｐ０９）について、図１２を用いて説明する。使用者端末追加画面（Ｐ０９）は、使用者ＩＰアドレス（Ｄ０７）を入力するための使用者ＩＰアドレス入力欄（Ｐ０９−Ｉ１）、使用者情報端末名（Ｄ０８）を入力するための使用者情報端末名入力欄（Ｐ０９−Ｉ２）および使用者端末追加確認画面（Ｐ１０）に進む使用者端末追加ボタン（Ｐ０９−Ｂ１）を備える。
【００５６】
使用者端末追加確認画面（Ｐ１０）について、図１３を用いて説明する。使用者端末追加確認画面（Ｐ１０）は、使用者ＩＰアドレス（Ｄ０７）を表示するための使用者ＩＰアドレス表示欄（Ｐ１０−Ｏ１）、使用者情報端末名（Ｄ０８）を表示するための使用者情報端末名表示欄（Ｐ１０−Ｏ２）および使用者端末追加完了画面（Ｐ１１）に進む使用者端末追加確認ボタン（Ｐ１０−Ｂ１）を備える。
【００５７】
使用者端末追加完了画面（Ｐ１１）について、図１４を用いて説明する。使用者端末追加完了画面（Ｐ１１）は、使用者端末追加が完了した旨を表示する表示部を備える。
【００５８】
使用者削除確認画面（Ｐ１２）について、図１５を用いて説明する。使用者削除確認画面（Ｐ１２）は、使用者独自名（Ｄ０１）を表示するための使用者独自名表示欄（Ｐ１２−Ｏ１）、使用者名（Ｄ０３）を表示するための使用者名表示欄（Ｐ１２−Ｏ２）、使用者郵便番号（Ｄ０４）を表示するための使用者郵便番号表示欄（Ｐ１２−Ｏ３）、使用者住所（Ｄ０５）を表示するための使用者住所表示欄（Ｐ１２−Ｏ４）、使用者電話番号（Ｄ０６）を表示するための使用者電話番号表示欄（Ｐ１２−Ｏ５）、使用者ＩＰアドレス（Ｄ０７）を表示するための使用者ＩＰアドレス表示欄（Ｐ１２−Ｏ６）、使用者情報端末名（Ｄ０８）を表示するための使用者情報端末名表示欄（Ｐ１２−Ｏ７）および使用者削除完了画面（Ｐ１３）に進む使用者削除ボタン（Ｐ１２−Ｂ１）を備える。
【００５９】
使用者削除完了画面（Ｐ１３）について、図１６を用いて説明する。使用者削除完了画面（Ｐ１３）は、使用者削除が完了した旨を表示する表示部を備える。
【００６０】
使用者検索画面（Ｐ１４）について、図１７を用いて説明する。使用者検索画面（Ｐ１４）は、使用者独自名（Ｄ０１）、使用者名（Ｄ０３）、使用者郵便番号（Ｄ０４）、使用者住所（Ｄ０５）、使用者電話番号（Ｄ０６）、使用者ＩＰアドレス（Ｄ０７）、使用者情報端末名（Ｄ０８）、使用者登録日（Ｄ０９）を検索条件として入力するための検索相手条件入力欄（Ｐ１４−Ｉ１）、（Ｐ１４−Ｉ２）（Ｐ１４−Ｉ３）、および使用者検索結果画面（Ｐ１５）に進む検索開始ボタン（Ｐ１４−Ｂ１）を備える。
【００６１】
検索相手条件入力欄（Ｐ１４−Ｉ１）、（Ｐ１４−Ｉ２）（Ｐ１４−Ｉ３）は、それぞれ、初期登録項目入力部と検索語入力部とを備える。初期登録項目入力部には、使用者独自名、使用者名、といった、初期登録画面で入力した各項目が予め用意され、使用者からの所望の項目の選択を受け付ける。検索語入力部には、入力領域が用意され、使用者からの検索語の入力を受け付ける。
【００６２】
検索条件は、初期登録項目入力部と検索語入力部とにおいて受け付けたものを組み合わせたものである。後述する使用者検索処理において、使用者テーブル（Ｔ１）の初期登録項目入力部に入力された項目から、対応する検索語入力部に入力された検索語に一致または類似するデータを抽出する。
【００６３】
図１７は、検索条件として、使用者独自名：ＨＯＧＥＢＡＮ（Ｄ０３）および使用者情報端末名：名ｐｃ（Ｄ０８）が、それぞれ、検索相手条件入力欄（Ｐ１４−Ｉ１）、（Ｐ１４−Ｉ２）に入力された状態を示したものである。
【００６４】
なお、本実施形態では、検索相手条件入力欄は３つの場合を例にあげて説明するが、検索相手条件入力欄の数はこれに限られない。
【００６５】
使用者検索結果画面（Ｐ１５）について、図１８を用いて説明する。使用者検索結果画面（Ｐ１５）は、使用者検索画面（Ｐ１４）の検索相手条件欄（Ｐ１４−Ｉ１）、（Ｐ１４−Ｉ２）に入力した検索相手条件を表示するための検索相手条件表示欄（Ｐ１５−Ｏ１）、（Ｐ１５−Ｏ２）、検索条件に該当した情報を表示するための検索条件一致表示列（Ｐ１５−Ｃ１）、（Ｐ１５−Ｃ２）および使用者検索結果詳細画面（Ｐ１６）に進む検索結果詳細ボタン（Ｐ１５−Ｂ１）、（Ｐ１５−Ｂ２）、（Ｐ１５−Ｂ３）、（Ｐ１５−Ｂ４）を備える。
【００６６】
本実施形態では、検索条件として、使用者独自名（Ｄ０３）、使用者情報端末名（Ｄ０８）が指定されている。このため、使用者独自名：ＨＯＧＥＢＡＮ（Ｄ０３）が検索相手条件表示欄（Ｐ１５−Ｏ１）に、使用者情報端末名：ｐｃ（Ｄ０８）が検索条件表示欄（Ｐ１５−Ｏ２）に表示される、
そして、それぞれの項目において検索語に合致したもの、または、類似するものが検索条件一致表示列（Ｐ１５−Ｃ１）、（Ｐ１５−Ｃ２）に表示される。ここでは、使用者独自名（Ｄ０３）がＨＯＧＥＢＡＮに一致または類似するものが検索条件一致表示列（Ｐ１５−Ｃ１）に、使用者情報端末名（Ｄ０８）がｐｃに一致または類似するものが検索条件一致表示列（Ｐ１５−Ｃ２）に表示される。
【００６７】
このように本実施形態では、検索条件として２項目指定されたため、検索相手条件欄（Ｐ１５−Ｏ１）、（Ｐ１５−Ｏ２）と、検索条件一致表示列（Ｐ１５−Ｃ１）、（Ｐ１５−Ｃ２）とには、それぞれ２項目分表示される。使用者検索結果画面（Ｐ１５）には、使用者検索画面（Ｐ１４）で入力された検索条件の項目数だけ、検索条件および検索結果が表示される。
【００６８】
また、図１８では、検索結果詳細ボタン（Ｐ１５−Ｂ１）、（Ｐ１５−Ｂ２）、（Ｐ１５−Ｂ３）、（Ｐ１５−Ｂ４）は４つ示されている。使用者検索結果画面（Ｐ１５）には、検索条件一致表示列（Ｐ１５−Ｃ１）、（Ｐ１５−Ｃ２）において検索条件に該当した数分だけ、本ボタンが表示される。
【００６９】
使用者検索結果詳細画面（Ｐ１６）について、図１９を用いて説明する。使用者検索結果詳細画面（Ｐ１６）は、使用者独自名（Ｄ０３）を表示するための使用者名表示欄（Ｐ１６−Ｏ１）、使用者郵便番号（Ｄ０４）を表示するための使用者郵便番号表示欄（Ｐ１６−Ｏ２）、使用者住所（Ｄ０５）を表示するための使用者住所表示欄（Ｐ１６−Ｏ３）、使用者電話番号（Ｄ０６）を表示するための使用者電話番号表示欄（Ｐ１６−Ｏ４）、使用者情報端末名（Ｄ０８）を表示するための使用者情報端末名表示欄（Ｐ１６−Ｏ５）および現在表示されている検索結果の相手と通信を開始するための相手端末通信開始ボタン（Ｐ１６−Ｂ１）を備える。
【００７０】
次に、ＩＰアドレスと対応付けて属性情報を格納する使用者テーブル（Ｔ１）について説明する。本実施形態では、使用者テーブル（Ｔ１）は、記憶装置（Ｇ１−Ｍ３）が備える。
【００７１】
図２０は、使用者テーブル（Ｔ１）の一例を示す図である。
【００７２】
本図に示すように、使用者テーブル（Ｔ１）は、使用者独自名（Ｄ０１）を格納する使用者独自名格納部（Ｔ１−Ｃ１）と、使用者パスワード（Ｄ０２）を格納する使用者パスワード情報格納部（Ｔ１−Ｃ２）と、使用者名（Ｄ０３）を格納する使用者名格納部（Ｔ１−Ｃ３）と、使用者郵便番号（Ｄ０４）を格納する使用者郵便番号格納部（Ｔ１−Ｃ４）と、使用者住所（Ｄ０５）を格納する使用者住所格納部（Ｔ１−Ｃ５）と、使用者電話番号（Ｄ０６）を格納する使用者住所格納部（Ｔ１−Ｃ６）と、使用者ＩＰアドレス（Ｄ０７）を格納する使用者ＩＰアドレス格納部（Ｔ１−Ｃ７）と、使用者情報端末名（Ｄ０８）を格納する使用者情報端末名格納部（Ｔ１−Ｃ８）と、使用者登録日（Ｄ０９）を格納する使用者登録日格納部（Ｔ１−Ｃ９）とを備える。
【００７３】
次に、前述の各画面を介して、属性情報の（Ｇ１−Ｍ３）への登録、更新、削除、検索等の処理手順について説明する。
【００７４】
（使用者初期登録）
使用者初期登録を行う際のシーケンスについて、図２１を用いて説明する。
【００７５】
情報端末側登録・削除・更新・検索装置（Ｇ３−Ｍ２）のＷｅｂブラウザは、入力装置（Ｅ１−Ｈ５）を介して使用者から、メニュー画面指定情報入力としてメニュー画面のＵＲＬの入力を受け付ける（Ｓ０１−０１）と、その指示を解析する。そして、解析結果をメニュー画面表示要求として通信装置（Ｅ１−Ｈ６）から、ネットワークＧ４を介して情報提供側システム（Ｇ１）へ送出する（Ｓ０１−０２）。
【００７６】
情報公開装置（Ｇ１−Ｍ１）は、メニュー画面表示要求を受信する（Ｓ０１−０２）と、メニュー画面表示応答として、メニュー画面のデータを、ネットワーク（Ｇ４）を介して情報端末側登録・削除・更新・検索装置（Ｇ３−Ｍ２）に送信する（Ｓ０１−０３）。
【００７７】
情報端末側登録・削除・更新・検索装置（Ｇ３−Ｍ２）のＷｅｂブラウザは、受信したメニュー画面（Ｐ０１）を表示装置（Ｅ１−Ｈ４）に表示させる（Ｓ０１−０４）。メニュー画面（Ｐ０１）の使用者初期登録処理ボタン（Ｐ０１−Ｂ１）を入力装置（Ｅ１−Ｈ５）によるクリックなどにより押下したことを受け付ける（Ｓ０１−０５）と、情報端末側登録・削除・更新・検索装置（Ｇ３−Ｍ２）のＷｅｂブラウザは、使用者初期登録画面要求として情報提供側システム（Ｇ１）へ送出する（Ｓ０１−０６）。
【００７８】
情報公開装置（Ｇ１−Ｍ１）は、使用者初期登録画面要求を受信すると（Ｓ０１−０６）、使用者初期登録画面応答として、使用者初期登録画面（Ｐ０２）を情報端末側登録・削除・更新・検索装置（Ｇ３−Ｍ２）に送信する（Ｓ０１−０７）。
【００７９】
情報端末側登録・削除・更新・検索装置（Ｇ３−Ｍ２）のＷｅｂブラウザは、受信した使用者初期登録画面（Ｐ０２）を表示装置（Ｅ１−Ｈ４）に表示させ、使用者に提示する（Ｓ０１−０８）。
【００８０】
情報端末側登録・削除・更新・検索装置（Ｇ３−Ｍ２）のＷｅｂブラウザは、使用者初期登録画面（Ｐ０２）を介して、それぞれ、使用者独自名入力欄（Ｐ０２−１１）への使用者独自名（Ｄ０１）、使用者パスワード入力欄（Ｐ０２−Ｉ２）への使用者パスワード（Ｄ０２）、使用者パスワード再入力欄（Ｐ０２−１３）への確認用の使用者パスワード（Ｄ３０）、使用者名入力欄（Ｐ０２−１４）への使用者名（Ｄ０３）、使用者郵便番号入力欄（Ｐ０２−１５）への使用者郵便番号（Ｄ０４）、使用者住所入力欄（Ｐ０２−Ｉ６）への使用者住所（Ｄ０５）、使用者電話番号入力欄（Ｐ０２−Ｉ７）への使用者電話番号（Ｄ０６）、使用者ＩＰアドレス入力欄（Ｐ０２−Ｉ８）への使用者ＩＰアドレス（Ｄ０７）、使用者情報端末名入力欄（Ｐ０２−Ｉ９）への使用者情報端末名（Ｄ０８）の入力を、使用者登録情報入力として受け付ける（Ｓ０１−０９）。
【００８１】
その後、使用者初期登録ボタン（Ｐ０２−Ｂ１）のクリックなどによる押下を受け付け（Ｓ０１−１０）、使用者初期登録確認画面要求として、受け付けた使用者初期情報を、情報提供側システム（Ｇ１）へ送出する（Ｓ０１−１１）。
【００８２】
情報公開装置（Ｇ１−Ｍ１）は、使用者初期登録確認画面要求を受信すると（Ｓ０１−１１）、受信した属性情報を用いて使用者初期登録確認画面（Ｐ０３）のデータを生成し、使用者初期登録確認画面応答として、ネットワーク（Ｇ４）を介して情報端末側登録・削除・更新・検索装置（Ｇ３−Ｍ２）に送信する（Ｓ０１−１２）。
【００８３】
情報端末側登録・削除・更新・検索装置（Ｇ３−Ｍ２）のＷｅｂブラウザは、受信した使用者初期登録確認画面（Ｐ０３）を表示装置（Ｅ１−Ｈ４）に表示させる（Ｓ０１−１３）。
【００８４】
このとき、使用者は、使用者初期登録確認画面（Ｐ０３）において、使用者独自名（Ｄ０１）を使用者独自名表示欄（Ｐ０３ーＯ１）により、使用者名（Ｄ０３）を使用者名表示欄（Ｐ０３−Ｏ２）により、使用者郵便番号（Ｄ０４）を使用者郵便番号表示欄（Ｐ０３−Ｏ３）により、使用者住所（Ｄ０５）を使用者住所表示欄（Ｐ０３−Ｏ４）により、使用者電話番号（Ｄ０６）を使用者電話番号表示欄（Ｐ０３−Ｏ５）により、使用者ＩＰアドレス（Ｄ０７）を使用者ＩＰアドレス表示欄（Ｐ０３−Ｏ６）により、使用者情報端末名（Ｄ０８）を使用者情報端末名表示欄（Ｐ０３−Ｏ７）により確認することができる。
【００８５】
情報端末側登録・削除・更新・検索装置（Ｇ３−Ｍ２）のＷｅｂブラウザは、使用者初期登録確認ボタン（Ｐ０３−Ｂ１）のクリックなどによる押下を受け付け（Ｓ０１−１０）、使用者初期登録完了画面要求（Ｓ０１−１５）として情報提供側システム（Ｇ１）へ送出する。
【００８６】
情報公開装置（Ｇ１−Ｍ１）は、使用者初期登録完了画面要求を受信すると（Ｓ０１−１５）、業務処理装置（Ｇ１−Ｍ２）に、それを上記（Ｓ０１−１１）において受信した使用者初期情報とともに送信する（Ｓ０１−１６）。
【００８７】
業務処理装置（Ｇ１−Ｍ２）は、使用者初期登録要求と使用者初期情報とを受信すると（Ｓ０１−１６）、それらを記憶装置（Ｇ１−Ｍ３）に送信する（Ｓ０１−１７）。
【００８８】
記憶装置（Ｇ１−Ｍ３）は、使用者初期登録要求と使用者初期情報とを受信すると（Ｓ０１−１７）、受信した使用者初期情報を使用者テーブル（Ｔ１）に登録し、業務処理装置（Ｇ１−Ｍ２）に、使用者初期登録応答を送信する（Ｓ０１−１８）。
【００８９】
業務処理装置（Ｇ１−Ｍ２）は、使用者初期登録応答を受信すると（Ｓ０１−１８）、情報公開装置（Ｇ１−Ｍ１）に使用者初期登録応答として送信する（Ｓ０１−１９）。
【００９０】
情報公開装置（Ｇ１−Ｍ１）は、使用者初期登録応答を受信すると（Ｓ０１−１９）、情報端末側登録・削除・更新・検索装置（Ｇ３−Ｍ２）に使用者登録完了画面応答として、使用者初期登録完了画面（Ｐ０４）のデータを送信する（Ｓ０１−２０）。
【００９１】
情報端末側登録・削除・更新・検索装置（Ｇ３−Ｍ２）のＷｅｂブラウザは、受信した使用者初期登録完了画面（Ｐ０４）を表示装置（Ｅ１−Ｈ４）に表示させることにより使用者に提示する（Ｓ０１−２１）。使用者は、当該表示を見ることにより使用者初期登録が完了したことを確認できる。
【００９２】
なお、使用者からの指示に従って使用者初期情報を登録する場合を例にあげて説明したが、使用者初期情報の登録方法はこれに限られない。例えば、情報端末側登録・更新・検索・削除装置（Ｇ３−Ｍ２）が予め使用者初期情報を使用者からの入力を受け付けて保持し、情報端末側登録・更新・検索・削除装置（Ｇ３−Ｍ２）が情報端末側インタフェース装置（Ｇ２−Ｍ３）を介してネットワーク（Ｇ４）に接続された際に、情報提供側システム（Ｇ１）に自動的に送信し、記憶装置（Ｇ１−Ｍ３）に、そのデフォルトの情報を登録するよう構成することもできる。
【００９３】
（使用者認証）
次に、使用者テーブル（Ｔ１）に登録された使用者情報を変更する場合、登録する端末を追加する場合、登録された情報を削除する場合などに、その処理に先立って行われる使用者認証処理の際のシーケンスについて、図２２を用いて説明する。
【００９４】
情報端末側登録・削除・更新・検索装置（Ｇ３−Ｍ２）のＷｅｂブラウザは、入力装置（Ｅ１−Ｈ５）を介して使用者から、メニュー画面指定情報入力としてメニュー画面のＵＲＬの入力を受け付ける（Ｓ０２−０１）と、その指示を解析する。そして、解析結果をメニュー画面表示要求として通信装置（Ｅ１−Ｈ６）から、ネットワークＧ４を介して情報提供側システム（Ｇ１）へ送出する（Ｓ０２−０２）。
【００９５】
情報公開装置（Ｇ１−Ｍ１）は、メニュー画面表示要求を受信する（Ｓ０２−０２）と、メニュー画面表示応答として、メニュー画面のデータを、ネットワーク（Ｇ４）を介して情報端末側登録・削除・更新・検索装置（Ｇ３−Ｍ２）に送信する（Ｓ０２−０３）。
【００９６】
情報端末側登録・削除・更新・検索装置（Ｇ３−Ｍ２）のＷｅｂブラウザは、受信したメニュー画面（Ｐ０１）を表示装置（Ｅ１−Ｈ４）に表示させる（Ｓ０２−０４）。メニュー画面（Ｐ０１）の使用者認証処理ボタン（Ｐ０１−Ｂ２）を入力装置（Ｅ１−Ｈ５）によるクリックなどにより押下したことを受け付ける（Ｓ０２−０５）と、情報端末側登録・削除・更新・検索装置（Ｇ３−Ｍ２）のＷｅｂブラウザは、使用者認証画面要求として情報提供側システム（Ｇ１）へ送出する（Ｓ０２−０６）。
【００９７】
情報公開装置（Ｇ１−Ｍ１）は、使用者認証画面要求を受信すると（Ｓ０２−０６）、使用者認証画面応答として、使用者認証画面（Ｐ０５）を情報端末側登録・削除・更新・検索装置（Ｇ３−Ｍ２）に送信する（Ｓ０２−０７）。
【００９８】
情報端末側登録・削除・更新・検索装置（Ｇ３−Ｍ２）のＷｅｂブラウザは、受信した使用者認証画面（Ｐ０５）を表示装置（Ｅ１−Ｈ４）に表示させ、使用者に提示する（Ｓ０２−０８）。
【００９９】
情報端末側登録・削除・更新・検索装置（Ｇ３−Ｍ２）のＷｅｂブラウザは、使用者認証画面（Ｐ０５）を介して、それぞれ、使用者独自名入力欄（Ｐ０５−Ｉ１）への使用者独自名（Ｄ０１）、使用者パスワード入力欄（Ｐ０５−Ｉ２）への使用者パスワード（Ｄ０２）、使用者パスワード再入力欄（Ｐ０５−１３）への確認用の使用者パスワード（Ｄ３０）の入力を、使用者認証情報の入力として受け付ける（Ｓ０２−０９）。
【０１００】
その後、使用者変更ボタン（Ｐ０５−Ｂ１）、使用者端末追加ボタン（Ｐ０５−Ｂ２）、使用者削除ボタン（Ｐ０５−Ｂ３）のいずれかのクリックなどによる押下指示を受け付け（Ｓ０２−１０）、使用者認証要求として、押下されたボタンによる指示の種別とともに受け付けた使用者認証情報とともに情報提供側システム（Ｇ１）へ送出する（Ｓ０２−１１）。
【０１０１】
情報公開装置（Ｇ１−Ｍ１）は、使用者認証要求を受信すると（Ｓ０２−１１）、受信した使用者認証情報を含む使用者認証要求を業務処理装置（Ｇ１−Ｍ２）へ送出する（Ｓ０２−１２）。そして業務処理装置（Ｇ１−Ｍ２）は、受信した使用者認証要求を記憶装置（Ｇ１−Ｍ３）に送出する（Ｓ０２−１３）。
【０１０２】
記憶装置（Ｇ１−Ｍ３）は、使用者認証要求に含まれる使用者認証情報と使用者テーブル（Ｔ１）に保持されているデータとの使用者独自名（Ｄ０１とＴ１−Ｃ１）、使用者パスワード情報（Ｄ０２とＴ１−Ｃ２）とを比較し、両者の合致を確かめることにより、使用者の認証を行う。
【０１０３】
そして、記憶装置（Ｇ１−Ｍ３）は、合致した場合、合致した登録情報を、合致しなかった場合、その旨を示す情報を、使用者認証結果応答として業務処理装置（Ｇ１−Ｍ２）へ送信する（Ｓ０２−１４）。受け取った業務処理装置（Ｇ１−Ｍ２）は、使用者認証結果応答を情報公開装置に送信する（Ｓ０２−１５）。
【０１０４】
情報公開装置（Ｇ１−Ｍ１）は、受け取った使用者認証結果応答、および、（Ｓ０２−１１）で受け取った指示の種別に従って、使用者登録変更画面（Ｐ０６）、使用者端末追加画面（Ｐ０９）、使用者削除確認画面（Ｐ１２）のいずれかのデータ、または、認証不成功を示す画面データを生成して使用者認証結果応答として、情報端末側登録・更新・検索・削除装置（Ｇ２−Ｍ２）に送信する（Ｓ０２−１６）。
【０１０５】
受け取った情報端末側登録・更新・検索・削除装置（Ｇ２−Ｍ２）のＷｅｂブラウザは、受信した使用者登録変更画面（Ｐ０６）、使用者端末追加画面（Ｐ０９）、使用者削除確認画面（Ｐ１２）、または、認証不成功を示す画面を、表示装置（Ｅ１−Ｈ４）に表示させる（Ｓ０２−１７）。
【０１０６】
（使用者登録変更）
次に、上記の使用者認証処理を終え、使用者登録変更画面（Ｐ０６）が表示装置（Ｅ１−Ｈ４）に表示された状態から、使用者登録変更を行う場合の処理について、図２３を用いて説明する。
【０１０７】
情報端末側登録・削除・更新・検索装置（Ｇ３−Ｍ２）のＷｅｂブラウザは、使用者登録変更画面（Ｐ０６）を介して、それぞれ、使用者独自名入力欄（Ｐ０６−Ｉ１）への使用者独自名（Ｄ０１）、使用者パスワード入力欄（Ｐ０６−Ｉ２）への使用者パスワード（Ｄ０２）、使用者パスワード再入力欄（Ｐ０６−Ｉ３）への確認用の使用者パスワード（Ｄ３０）、使用者名入力欄（Ｐ０６−Ｉ４）への使用者名（Ｄ０３）、使用者郵便番号入力欄（Ｐ０６−Ｉ５）への使用者郵便番号（Ｄ０４）、使用者住所入力欄（Ｐ０６−Ｉ６）への使用者住所（Ｄ０５）、使用者電話番号入力欄（Ｐ０６−Ｉ７）への使用者電話番号（Ｄ０６）、使用者ＩＰアドレス入力欄（Ｐ０６−Ｉ８）への使用者ＩＰアドレス（Ｄ０７）、使用者情報端末名入力欄（Ｐ０６−Ｉ９）への使用者情報端末名（Ｄ０８）の入力を、使用者登録変更情報入力として受け付ける（Ｓ０３−０１）。
【０１０８】
その後、使用者登録変更画面（Ｐ０６）の使用者登録変更ボタン（Ｐ０６−Ｂ１）のクリックなどによる押下を受け付け（Ｓ０３−０２）、使用者登録変更確認画面要求として、受け付けた使用者登録変更情報を、情報提供側システム（Ｇ１）へ送出する（Ｓ０３−０３）。
【０１０９】
情報公開装置（Ｇ１−Ｍ１）は、使用者登録変更確認画面要求を受信すると（Ｓ０３−０３）、受信した使用者登録変更情報を用いて使用者登録変更確認画面（Ｐ０７）のデータを生成し、使用者登録変更確認画面応答として、ネットワーク（Ｇ４）を介して情報端末側登録・更新・検索・削除装置（Ｇ２−Ｍ２）に送信する（Ｓ０３−０４）。
【０１１０】
情報端末側登録・更新・検索・削除装置（Ｇ２−Ｍ２）のＷｅｂブラウザは、受信した使用者登録変更確認画面（Ｐ０７）を表示装置（Ｅ１−Ｈ４）に表示させる（Ｓ０３−０５）。
【０１１１】
このとき、使用者は、使用者登録変更確認画面（Ｐ０７）において、使用者独自名（Ｄ０１）を使用者独自名表示欄（Ｐ０７−Ｏ１）により、使用者名（Ｄ０３）を使用者名表示欄（Ｐ０７−Ｏ２）により、使用者郵便番号（Ｄ０４）を使用者郵便番号表示欄（Ｐ０７−Ｏ３）により、使用者住所（Ｄ０５）を使用者住所表示欄（Ｐ０７−Ｏ４）により、使用者電話番号（Ｄ０６）を使用者電話番号表示欄（Ｐ０７−Ｏ５）により、使用者ＩＰアドレス（Ｄ０７）を使用者ＩＰアドレス表示欄（Ｐ０７−Ｏ６）により、使用者情報端末名（Ｄ０８）を使用者情報端末名表示欄（Ｐ０７−Ｏ７）により確認することができる。
【０１１２】
情報端末側登録・更新・検索・削除装置（Ｇ２−Ｍ２）のＷｅｂブラウザは、使用者登録変更確認画面（Ｐ０７）の使用者登録変更確認ボタン（Ｐ０７−Ｂ１）のクリックなどによる押下を受け付け（Ｓ０３−０６）、使用者登録変更完了画面要求として情報提供側システム（Ｇ１）へ送出する（Ｓ０３−０７）。
【０１１３】
情報公開装置（Ｇ１−Ｍ１）は、使用者登録変更完了画面要求を受信すると（Ｓ０３−０７）、業務処理装置（Ｇ１−Ｍ２）に、上記（Ｓ０３−０３）において受信した使用者登録変更情報とともに送信する（Ｓ０３−０８）。
【０１１４】
業務処理装置（Ｇ１−Ｍ２）は、使用者登録変更要求を受信すると（Ｓ０３−０８）、受信した使用者登録変更情報に従って、記憶装置（Ｇ１−Ｍ３）に格納されている使用者テーブル（Ｔ１）のデータを変更する（Ｓ０３−０９）。
【０１１５】
本実施形態の場合、受信した使用者登録変更情報の使用者独自名（Ｄ０１）をキーに、使用者テーブル（Ｔ１）にアクセスし、該当するデータを受信した情報に書き換える。
【０１１６】
変更が完了すると、業務処理装置（Ｇ１−Ｍ２）は、使用者登録変更応答を情報公開装置（Ｇ１−Ｍ１）に送信する（Ｓ０３−１０）。そして、情報公開装置（Ｇ１−Ｍ１）は、受信した使用者登録変更応答を、情報端末側登録・削除・更新・検索装置（Ｇ３−Ｍ２）に使用者登録変更完了画面応答として、使用者登録変更完了画面（Ｐ０８）のデータを送信する（Ｓ０３−１１）。
【０１１７】
情報端末側登録・削除・更新・検索装置（Ｇ３−Ｍ２）のＷｅｂブラウザは、受信した使用者登録変更完了画面を表示装置（Ｅ１−Ｈ４）に表示させることにより使用者に提示する（Ｓ０３−１２）。使用者は、当該表示を見ることにより、使用者登録変更が完了したことを確認できる。
【０１１８】
（使用者端末追加）
本実施形態では、初期登録時に属性情報を登録した使用者が初期登録時に登録した端末以外の端末を追加登録することができる。次に、このような場合、すなわち、使用者が端末の追加登録を行う場合の処理シーケンスについて説明する。ここでは、初期登録時に設定した使用者の属性情報は再度登録する必要はなく、追加登録する端末のＩＰアドレスと端末名のみを登録すればよい。
【０１１９】
上記の使用者認証処理を終え、使用者端末追加画面（Ｐ０９）が表示装置（Ｅ１−Ｈ４）に表示された状態から、使用者端末を追加する処理を行う場合のシーケンスについて、図２４を用いて説明する。
【０１２０】
情報端末側登録・削除・更新・検索装置（Ｇ３−Ｍ２）のＷｅｂブラウザは、使用者端末追加画面（Ｐ０９）を介して、それぞれ、使用者ＩＰアドレス入力欄（Ｐ０９−Ｉ１）への使用者ＩＰアドレス（Ｄ０７）、使用者情報端末名入力欄（Ｐ０９−Ｉ２）への使用者情報端末（Ｄ０８）の入力を、使用者端末追加情報入力として受け付ける（Ｓ０４−０１）。
【０１２１】
その後、使用者端末追加画面（Ｐ０９）の使用者端末追加ボタン（Ｐ０９−Ｂ１）のクリックなどによる押下を受け付け（Ｓ０４−０２）、使用者端末追加確認画面要求として、受け付けた使用者端末追加情報を、情報提供側システム（Ｇ１）へ送出する（Ｓ０４−０３）。
【０１２２】
情報公開装置（Ｇ１−Ｍ１）は、使用者端末追加確認画面要求を受信すると（Ｓ０４−０３）、受信した使用者端末追加情報と認証処理時に受け取った使用者独自名（Ｄ０１）とを用いて使用者端末追加確認画面（Ｐ１０）のデータを生成し、使用者端末追加確認画面応答として、ネットワーク（Ｇ４）を介して情報端末側登録・更新・検索・削除装置（Ｇ２−Ｍ２）に送信する（Ｓ０４−０４）を送信する。
【０１２３】
情報端末側登録・更新・検索・削除装置（Ｇ２−Ｍ２）のＷｅｂブラウザは、受信した使用者端末追加確認画面（Ｐ１０）を表示装置（Ｅ１−Ｈ４）に表示させる（Ｓ０４−０５）。
【０１２４】
このとき、使用者は、使用者登録変更確認画面（Ｐ１０）において、使用者独自名（Ｄ０１）を使用者独自名表示欄（Ｐ１０−Ｏ３）により、使用者ＩＰアドレス（Ｄ０７）を使用者ＩＰアドレス表示欄（Ｐ１０−Ｏ１）により、使用者情報端末名（Ｄ０８）を使用者情報端末名表示欄（Ｐ１０−Ｏ２）により確認することができる。
【０１２５】
情報端末側登録・更新・検索・削除装置（Ｇ２−Ｍ２）のＷｅｂブラウザは、使用者端末追加確認画面（Ｐ１０）の使用者端末追加確認ボタン（Ｐ１０−Ｂ１）のクリックなどによる押下を受け付け（Ｓ０４−０６）、使用者端末追加確認完了画面要求として情報提供側システム（Ｇ１）へ送出する（Ｓ０４−０７）。
【０１２６】
情報公開装置（Ｇ１−Ｍ１）は、使用者端末追加完了画面要求を受信すると（Ｓ０４−０７）、業務処理装置（Ｇ１−Ｍ２）に、上記（Ｓ０４−０３）において受信した使用者端末追加情報および認証処理時に受け取った属性情報とともに、使用者端末追加要求として送信する（Ｓ０４−０８）。
【０１２７】
業務処理装置（Ｇ１−Ｍ２）は、使用者端末追加要求を受信すると（Ｓ０４−０８）、受信した使用者端末追加情報および属性情報に従って、記憶装置（Ｇ１−Ｍ３）に格納されている使用者テーブル（Ｔ１）のデータを変更する（Ｓ０４−０９）。
【０１２８】
本実施形態の場合、受信した属性更情報の使用者独自名（Ｄ０１）をキーに、使用者テーブル（Ｔ１）にアクセスし、該当するデータを複製し、複製データの使用者ＩＰアドレス（Ｔ１−Ｃ７）および使用者情報端末名（Ｔ１−Ｃ８）を、受信した使用者端末追加情報に書き換えるよう記憶装置（Ｇ１−Ｍ３）に指示をする。指示に従い記憶装置（Ｇ１−Ｍ３）は端末情報を追加し、使用者端末追加応答を返信する（Ｓ０４−１０）。
【０１２９】
使用者端末追加応答を受信すると、業務処理装置（Ｇ１−Ｍ２）は、使用者端末追加完了応答を情報公開装置（Ｇ１−Ｍ１）に送信する（Ｓ０４−１１）。そして、情報公開装置（Ｇ１−Ｍ１）は、情報端末側登録・削除・更新・検索装置（Ｇ３−Ｍ２）に使用者端末追加完了画面応答として、使用者登録変更完了画面（Ｐ１１）のデータを送信する（Ｓ０４−１２）。
【０１３０】
情報端末側登録・削除・更新・検索装置（Ｇ３−Ｍ２）のＷｅｂブラウザは、受信した使用者端末追加完了画面（Ｐ１１）を表示装置（Ｅ１−Ｈ４）に表示させることにより使用者に提示する（Ｓ０４−１３）。使用者は、当該表示を見ることにより、使用者登録変更が完了したことを確認できる。
【０１３１】
（使用者削除）
次に、使用者テーブル（Ｔ１）に登録したデータを削除する場合の処理シーケンスについて図２５を用いて説明する。
【０１３２】
上記の使用者認証処理を終え、使用者削除確認画面（Ｐ１２）が表示装置（Ｅ１−Ｈ４）に表示された状態（Ｓ０５−０１）から、登録された属性情報の削除を行う場合の処理について、図２５を用いて説明する。
【０１３３】
情報端末側登録・更新・検索・削除装置（Ｇ２−Ｍ２）のＷｅｂブラウザは、使用者削除確認画面（Ｐ１２）の使用者削除ボタン（Ｐ１２−Ｂ１）のクリックなどによる押下を受け付け（Ｓ０５−０２）、使用者削除完了画面要求として情報提供側システム（Ｇ１）へ送出する（Ｓ０５−０３）。
【０１３４】
情報公開装置（Ｇ１−Ｍ１）は、使用者削除完了画面要求を受信すると（Ｓ０５−０３）、業務処理装置（Ｇ１−Ｍ２）に、上記の認証処理時に合致した登録情報として受け取った属性情報とともに、使用者削除要求として送信する（Ｓ０５−０４）。
【０１３５】
業務処理装置（Ｇ１−Ｍ２）は、使用者削除要求を受信すると（Ｓ０５−０５）、記憶装置（Ｇ１−Ｍ３）に、使用者テーブル（Ｔ１）のデータから、受信した属性情報に該当するデータを削除するよう指示する（Ｓ０５−０５）。記憶装置（Ｇ１−Ｍ３）は、指示に従い削除し、使用者削除応答を返信する（Ｓ０５−０６）。
【０１３６】
使用者削除応答を受信すると、業務処理装置（Ｇ１−Ｍ２）は、使用者削除完了応答を情報公開装置（Ｇ１−Ｍ１）に送信する（Ｓ０５−０７）。そして、情報公開装置（Ｇ１−Ｍ１）は、情報端末側登録・削除・更新・検索装置（Ｇ３−Ｍ２）に使用者削除完了画面応答として、使用者削除完了画面（Ｐ１３）のデータを送信する（Ｓ０５−０８）。
【０１３７】
情報端末側登録・削除・更新・検索装置（Ｇ３−Ｍ２）のＷｅｂブラウザは、受信した使用者削除完了画面（Ｐ１３）を表示装置（Ｅ１−Ｈ４）に表示させることにより使用者に提示する（Ｓ０５−０９）。使用者は、当該表示を見ることにより、使用者削除処理が完了したことを確認できる。
【０１３８】
（使用者検索）
次に、上記の各シーケンスで登録、維持がなされている使用者テーブル（Ｔ１）に格納されている使用者の属性情報を基に、検索を行う場合のシーケンスについて、図２６、図２７を用いて説明する。
【０１３９】
情報端末側登録・削除・更新・検索装置（Ｇ３−Ｍ２）のＷｅｂブラウザは、入力装置（Ｅ１−Ｈ５）を介して使用者から、メニュー画面指定情報入力としてメニュー画面のＵＲＬの入力を受け付ける（Ｓ０６−０１）と、その指示を解析する。そして、解析結果をメニュー画面表示要求として通信装置（Ｅ１−Ｈ６）から、ネットワークＧ４を介して情報提供側システム（Ｇ１）へ送出する（Ｓ０６−０２）。
【０１４０】
情報公開装置（Ｇ１−Ｍ１）は、メニュー画面表示要求を受信する（Ｓ０６−０２）と、メニュー画面表示応答として、メニュー画面のデータを、ネットワーク（Ｇ４）を介して情報端末側登録・削除・更新・検索装置（Ｇ３−Ｍ２）に送信する（Ｓ０６−０３）。
【０１４１】
情報端末側登録・削除・更新・検索装置（Ｇ３−Ｍ２）のＷｅｂブラウザは、受信したメニュー画面（Ｐ０１）を表示装置（Ｅ１−Ｈ４）に表示させる（Ｓ０６−０４）。メニュー画面（Ｐ０１）の使用者検索処理ボタン（Ｐ０１−Ｂ３）を入力装置（Ｅ１−Ｈ５）によるクリックなどにより押下したことを受け付ける（Ｓ０６−０５）と、情報端末側登録・削除・更新・検索装置（Ｇ３−Ｍ２）のＷｅｂブラウザは、使用者検索画面要求として情報提供側システム（Ｇ１）へ送出する（Ｓ０１−０６）。
【０１４２】
情報公開装置（Ｇ１−Ｍ１）は、使用者検索画面要求を受信すると（Ｓ０６−０６）、使用者検索画面応答として、使用者検索画面（Ｐ１４）を情報端末側登録・削除・更新・検索装置（Ｇ３−Ｍ２）に送信する（Ｓ０６−０７）。
【０１４３】
情報端末側登録・削除・更新・検索装置（Ｇ３−Ｍ２）のＷｅｂブラウザは、受信した使用者検索画面（Ｐ１４）を表示装置（Ｅ１−Ｈ４）に表示させ、使用者に提示する（Ｓ０６−０８）。
【０１４４】
情報端末側登録・削除・更新・検索装置（Ｇ３−Ｍ２）のＷｅｂブラウザは、使用者検索画面（Ｐ１４）を介して、検索相手条件入力欄（Ｐ１４−Ｉ１）、（Ｐ１４−Ｉ２）への入力を、検索条件情報として受け付ける（Ｓ０６−０９）。
【０１４５】
使用者検索画面（Ｐ１４）においては、検索対象を絞り込む条件として、使用者テーブル（Ｔ１）に格納されている各項目に関するデータを、検索相手条件入力欄（Ｐ１４−Ｉ１）、（Ｐ１４−Ｉ２）として用意されている数だけ受け付けることが可能である。本実施形態では２つまで入力が可能である。ただし、最低１つは条件が指定される必要がある。
【０１４６】
その後、検索開始ボタン（Ｐ１４−Ｂ１）のクリックなどによる押下を受け付け（Ｓ０６−１０）、使用者検索結果画面要求として、受け付けた検索条件情報を、情報提供側システム（Ｇ１）へ送出する（Ｓ０６−１１）。
【０１４７】
情報公開装置（Ｇ１−Ｍ１）は、使用者検索結果画面要求を受信すると（Ｓ０６−１１）、受信した検索条件情報とともに、業務処理装置（Ｇ１−Ｍ２）に送信する（Ｓ０６−１２）。
【０１４８】
業務処理装置（Ｇ１−Ｍ２）は、検索条件情報と使用者検索結果画面要求とを受信すると（Ｓ０６−１２）、記憶装置（Ｇ１−Ｍ３）にアクセスし（Ｓ０６−１３）、当該検索条件で、使用者テーブル（Ｔ１）を検索し、結果を抽出する（Ｓ０６−１４）。
【０１４９】
検索、抽出の方法は既存のものを用い、完全一致、部分一致、前方一致、後方一致など、適宜設定することができる。
【０１５０】
業務処理装置（Ｇ１−Ｍ２）は、検索結果とともに使用者検索結果応答として情報公開装置（Ｇ１−Ｍ１）に送信する（Ｓ０６−１５）。
【０１５１】
使用者検索結果応答と検索結果とを受信した情報公開装置（Ｇ１−Ｍ１）は、検索結果を用いて、使用者検索結果画面（Ｐ１５）のデータを生成し、使用者検索結果応答として、情報端末側登録・削除・更新・検索装置（Ｇ３−Ｍ２）に送信する（Ｓ０６−１６）。
【０１５２】
情報端末側登録・削除・更新・検索装置（Ｇ３−Ｍ２）のＷｅｂブラウザは、受信した使用者検索結果画面（Ｐ１５）を表示装置（Ｅ１−Ｈ４）に表示させることにより使用者に提示する（Ｓ０６−１７）。使用者は、当該表示を見ることにより、自身が指定した条件と一致する情報検索が完了したことを確認できる。
【０１５３】
本実施形態では、使用者検索結果画面（Ｐ１５）には、検索条件として入力した項目に合致する複数の候補データの、検索条件として入力した項目が示される。使用者が各候補データの詳細な属性情報が見たい場合は、検索結果詳細ボタン（Ｐ１５−Ｂ１）〜（Ｐ１５−Ｂ４）により特定し、見ることができる。
【０１５４】
すなわち、検索結果詳細ボタン（Ｐ１５−Ｂ１）〜（Ｐ１５−Ｂ４）のクリックなどによる押下を受け付けると（Ｓ０６−１８）、情報端末側登録・削除・更新・検索装置（Ｇ３−Ｍ２）のＷｅｂブラウザは、使用者検索結果詳細画面要求として情報提供側システム（Ｇ１）へ送出する（Ｓ０６−１９）。
【０１５５】
情報公開装置（Ｇ１−Ｍ１）は、使用者検索結果詳細画面要求を受信すると、それを、業務処理装置（Ｇ１−Ｍ２）に送出し（Ｓ０６−２０）、業務処理装置（Ｇ１−Ｍ２）は、記憶装置（Ｇ１−Ｍ３）にアクセスし（Ｓ０６−２１）、詳細結果が要求されたデータを抽出する（Ｓ０６−２２）。そして、使用者検索結果詳細画面要求応答として情報公開装置（Ｇ１−Ｍ１）に送出する（Ｓ０６−２３）。
【０１５６】
情報公開装置（Ｇ１−Ｍ２）は、受け取った情報を用いて使用者検索結果詳細画面（Ｐ１６）のデータを生成し、使用者検索結果詳細要求応答として、情報端末側登録・削除・更新・検索装置（Ｇ３−Ｍ２）に、送信する（Ｓ０６−２４）。
【０１５７】
情報端末側登録・削除・更新・検索装置（Ｇ３−Ｍ２）のＷｅｂブラウザは、受信した使用者検索結果画面（Ｐ１６）を表示装置（Ｅ１−Ｈ４）に表示させることにより使用者に提示する（Ｓ０６−２５）。使用者は、当該表示を見ることにより指定した条件に合致した使用者の属性情報等の詳細を確認することができる。
【０１５８】
もちろん、この検索結果詳細ボタン（Ｐ１５−Ｂ１）のクリックなどによる指定の受け付けは、何度でも行うことが可能である。
【０１５９】
ここで、情報端末側登録・削除・更新・検索装置（Ｇ３−Ｍ２）のＷｅｂブラウザは、相手端末通信開始ボタン（Ｐ１６−Ｂ１）のクリックなどによる押下を受け付けると（Ｓ０６−２６）、当該情報からＩＰアドレスを抽出し、通信装置（Ｅ１−Ｈ６）に送出する。通信装置（Ｅ１−Ｈ６）は、当該ＩＰアドレスで特定される相手と、ネットワーク（Ｇ４）を介して通信を開始する。
【０１６０】
次に、業務処理装置（Ｇ１−Ｍ２）における使用者検索時の処理を図２８を用いて説明する。
【０１６１】
業務処理装置（Ｇ１−Ｍ２）は、情報公開装置（Ｇ１−Ｍ１）より使用者検索結果要求（Ｓ０６−１２）を受信する。このとき、検索条件情報として使用者検索画面（Ｐ１４）の検索相手条件入力欄に入力された情報を受信する。本実施形態の場合は、使用者名（Ｄ０３）、使用者情報端末名（Ｄ０８）を受信する。
【０１６２】
業務処理装置（Ｇ１−Ｍ２）は、受け取った検索条件情報として与えられた項目をキーに記憶装置（Ｇ１−Ｍ３）の使用者テーブル（Ｔ１）を検索し、予め定められた基準で一致するデータの、検索条件情報として与えられた項目を抽出する（Ｌ１−１）。
【０１６３】
本実施形態では、使用者名（Ｄ０３）と使用者情報端末名（Ｄ０８）とを用いて使用者テーブル（Ｔ１）を検索する（Ｓ０６−１３）。そして、条件に合致したデータの（Ｓ０６−１４）、使用者名（Ｄ０３）と使用者情報端末名（Ｄ０８）とを検索結果として情報公開装置（Ｇ１−Ｍ１）に送信する（Ｓ０６−１５）。
【０１６４】
次に、業務処理装置（Ｇ１−Ｍ２）における使用者検索の場合における使用者検索詳細情報表示時の処理を図２９を用いて説明する。
【０１６５】
業務処理装置（Ｇ１−Ｍ２）は、情報公開装置（Ｇ１−Ｍ１）より使用者検索結果詳細要求を受信する（Ｓ０６−２０）。本実施形態では、パラメータとして使用者名（Ｄ０３）および使用者情報端末名（Ｄ０８）を受信する。
【０１６６】
業務処理装置（Ｇ１−Ｍ２）は、受信したパラメータをキーに記憶装置（Ｇ１−Ｍ３）が保持している使用者テーブル（Ｔ１）を検索し、該当するデータの全情報を抽出する（Ｌ１−２）。
【０１６７】
本実施形態では、パラメータとして使用者名（Ｄ０３）と使用者情報端末名（Ｄ０８）とを用いて検索し（Ｓ０６−２１）、使用者名（Ｄ０３）、使用者郵便番号（Ｄ０４）、使用者住所（Ｄ０５）、使用者電話番号（Ｄ０６）、使用者ＩＰアドレス（Ｄ０７）、使用者情報端末名（Ｄ０８）を受信する（Ｓ０６−２２）。そして、情報公開装置（Ｇ１−Ｍ１）にこれらのデータを送信する（Ｓ０６−２２）。
【０１６８】
なお、情報公開装置（Ｇ１−Ｍ１）が使用者検索結果詳細画面（Ｐ１６）データを生成する際には、使用者ＩＰアドレス（Ｄ０７）は提示するデータとしては用いられない。これは、使用者ＩＰアドレス（Ｄ０７）を画面に提示しても、使用者には意味がないからである。ただし、使用者ＩＰアドレス（Ｄ０７）情報は、使用者検索結果応答として当該画面データとともに、情報端末側登録・削除・更新・検索装置（Ｇ３−Ｍ２）に送信される。
【０１６９】
以上、本実施形態によれば、ネットワーク（Ｇ４）に接続される各端末毎に予め統一的に定められた属性情報が登録される。そして、当該属性情報を用いて、端末のＩＰアドレスを得ることができる。すなわち、従来のＤＮＳサーバにより、接続先端末のＩＰアドレスを知りたい場合は、予め、ＩＰアドレスに対応付けて登録されている文字列を完全な形で知らなければならないが、本実施形態では、そのような必要はない。
【０１７０】
本実施形態のＩＰアドレス管理システムによれば、ＩＰアドレスと対応付けて登録されている属性情報の一部さえわかれば、所望の端末のＩＰアドレスを得ることができる。また、目的の端末が定まっていない場合であっても、所望の属性情報を有する端末を抽出することができる。
【０１７１】
さらに、本実施形態によれば、一部の属性情報を用いて、端末のＩＰアドレスだけでなく、他の属性情報も検索結果として得ることができる。このため、一部の属性情報により抽出した検索結果が、所望のものであるか否か、容易に確認できる。
【０１７２】
また、登録すべき機器数が増えればそれだけ登録に手間もかかることになるが、現状のＤＮＳによれば、その登録した文字列情報は、検索にしか用いられていない。しかしながら、本実施形態によれば、検索時に抽出した属性情報を、アプリケーション処理に利用することもできる。
【０１７３】
本実施形態によれば、数字の羅列であるＩＰアドレスに対し、これまでのように単に文字列との対応付けで利便性を向上させるのみならず、そのＩＰアドレスの所有者情報や位置を示す情報等の属性との対応付けをも図ることで、ＩＰアドレスから様々な情報を抽出できるようにしたＩＰｖ６制御装置を提供し、ＩＰｖ６ネットワーク利用者の便宜を図り利用を促進し、さらなるインターネットの普及とそれに伴う産業の発展に寄与できる。
【０１７４】
なお、上記の実施形態においては、情報提供側システム（Ｇ１）が１つの場合を例に挙げて説明したが、情報提供側システム（Ｇ１）は１つに限られない。複数の情報提供側システム（Ｇ１）がネットワーク（Ｇ４）を介して接続されている構成であってもよい。この場合、それぞれの情報提供側システム（Ｇ１）の記憶装置（Ｇ１−Ｍ３）は、他の情報提供側システム（Ｇ１）の記憶装置（Ｇ１−Ｍ３）の情報を持ち、例えば使用者検索処理の際に受け取った検索条件に合致するものが、自記憶装置（Ｇ１−Ｍ３）の保持する使用者テーブル（Ｔ１）にない場合には、他の情報提供側システム（Ｇ１）に問い合わせる。なお、使用者認証処理時は、使用者独自名（Ｄ０１）の登録を行った情報提供側システム（Ｇ１）にアクセスするように設定されているリゾルバを各情報端末使用側システム（Ｇ２、Ｇ３）は備える。
【０１７５】
＜応用例＞
(視聴率調査)
本実施形態の情報提供側システム（Ｇ１）を用いた、応用例について以下に説明する。
【０１７６】
本応用例では、ネットワーク（Ｇ４）に、ＩＰアドレスを有し、視聴しているチャンネルの情報（以後、視聴情報と呼ぶ）を送出可能な機能を有するテレビが複数接続され、これらのテレビにおける視聴率調査を行う場合を説明する。
【０１７７】
これらのテレビは、上述の使用者初期登録処理により、情報提供側システム（Ｇ１）の記憶装置（Ｇ１−Ｍ３）の使用者テーブル（Ｔ１）に、当該テレビの視聴者の属性情報を登録する際、使用者情報端末名（Ｄ０８）として「テレビ」が登録される。
【０１７８】
視聴率調査を行う情報端末使用側システム（Ｇ２）は、上述の情報端末側登録・更新・検索・削除装置（Ｇ２−Ｍ２）に加え、検索結果取得部（Ｇ２−Ｍ４）、検索結果記憶部（Ｇ２−Ｍ５）、視聴情報取得処理部（Ｇ２−Ｍ６）とを備える。
【０１７９】
情報端末側登録・更新・検索・削除装置（Ｇ２−Ｍ２）は、上述のように、情報提供側システム（Ｇ１）にアクセスし、所望の属性情報（この場合は使用者情報端末がテレビであるもの）を有する機器のＩＰアドレスとその他の属性情報を取得し、当該取得したＩＰアドレスに向けて、データを送信する。本応用例では、所定の時間間隔で視聴情報を折り返し送信することを指示するデータを送出する。
【０１８０】
検索結果取得部（Ｇ２−Ｍ４）は、上記の検索処理において検索結果画面（Ｐ１５）が表示された際（Ｓ０６−１７）、全件の詳細情報を取得するよう情報提供側システム（Ｇ１）に指示を出す。
【０１８１】
このとき、使用者テーブル（Ｔ１）に「テレビ」と登録されている既登録の機器が全て表示される。上記検索処理においては、情報端末側登録・更新・検索・削除装置（Ｇ２−Ｍ２）は、使用者から、特定の機器に関して詳細表示の指示を受け付け、当該機器の詳細情報を情報提供側システム（Ｇ１）に提供するよう要求していたが、本応用例では、使用者からの指示の変わりに、検索結果取得部（Ｇ２−Ｍ４）が、全件の詳細情報の取得要求を送出する。
【０１８２】
検索結果記憶部（Ｇ２−Ｍ５）は、上記の検索結果取得部（Ｇ２−Ｍ４）が情報提供側システム（Ｇ１）に情報の提供を要求し、受信した合致した機器の全詳細情報を格納する。
【０１８３】
視聴情報取得処理部（Ｇ２−Ｍ６）は、情報端末側登録・更新・検索・削除装置（Ｇ２−Ｍ２）によりなされた視聴情報送信の指示に応えて、各機器が送出する視聴情報を蓄積する。また、受信時に受け取る送信元のＩＰアドレスにより、検索結果記憶部（Ｇ２−Ｍ５）にＩＰアドレスとともに格納されている各属性情報にアクセスし、受け取った視聴情報を、属性情報と関連づけて分析等を行う。
【０１８４】
なお、本応用例においては、テレビとの登録がなされているもの全てについて、視聴情報を取得し、その後、テレビとの登録がなされている機器の検索時に取得した属性情報を用いて検索する構成をとっているがこれに限られない。
【０１８５】
検索時に、テレビとの登録がなされているものであって、かつ、他の属性情報を指定し、該当機器を選択してから視聴情報を取得するよう構成することも可能である。例えば、テレビであり、かつ、住所が所定の県である機器を抽出し、当該県における、視聴情報を取得し、分析するよう活用することも可能である。
【０１８６】
また、属性情報として、性別、年齢なども登録するよう予め構成しておけば、それぞれのカテゴリ別の視聴情報を得ることも可能となる。
【０１８７】
このように、本応用例によれば、ＩＰアドレスを検索するために登録した属性情報を用い、ＩＰアドレスを得るとともに、当該属性情報を、その後の処理にも用いることができる。
【図面の簡単な説明】
【０１８８】
【図１】図１は、本実施形態のシステム全体の構成図である。
【図２】図２は、本実施形態を構成する各装置のハードウエア構成図である。
【図３】図３は、本実施形態における、画面の遷移を説明するための図である。
【図４】図４は、本実施形態のメニュー画面の構成図である。
【図５】図５は、本実施形態の使用者初期登録画面の構成図である。
【図６】図６は、本実施形態の使用者初期登録確認画面の構成図である。
【図７】図７は、本実施形態の使用者初期登録完了画面の構成図である。
【図８】図８は、本実施形態の使用者認証画面の構成図である。
【図９】図９は、本実施形態の使用者登録変更画面の構成図である.
【図１０】図１０は、本実施形態の使用者登録変更確認画面の構成図である。
【図１１】図１１は、本実施形態の使用者登録変更完了画面の構成図である。
【図１２】図１２は、本実施形態の使用者端末追加画面の構成図である。
【図１３】図１３は、本実施形態の使用者端末追加確認画面の構成図である。
【図１４】図１４は、本実施形態の使用者端末追加完了画面の構成図である。
【図１５】図１５は、本実施形態の使用者削除確認画面の構成図である。
【図１６】図１６は、本実施形態の使用者削除完了画面の構成図である。
【図１７】図１７は、本実施形態の使用者検索画面の構成図である。
【図１８】図１８は、本実施形態の使用者検索結果画面の構成図である。
【図１９】図１９は、本実施形態の使用者検索結果詳細画面の構成図である。
【図２０】図２０は、本実施形態の使用者テーブルの構成図である。
【図２１】図２１は、本実施形態の使用者初期登録手順のシーケンス図である。
【図２２】図２２は、本実施形態の使用者認証手順のシーケンス図である。
【図２３】図２３は、本実施形態の使用者登録変更手順のシーケンス図である。
【図２４】図２４は、本実施形態の使用者端末追加手順のシーケンス図である。
【図２５】図２５は、本実施形態の使用者削除手順のシーケンス図である。
【図２６】図２６は、本実施形態の使用者検索手順の前半のシーケンス図である。
【図２７】図２７は、本実施形態の使用者検索手順の後半のシーケンス図である。
【図２８】図２８は、本実施形態の業務処理装置における使用者検索時の処理フローである。
【図２９】図２９は、本実施形態の業務処理装置における使用者検索結果詳細表示時の処理フローである。
【符号の説明】
【０１８９】
Ｇ１：情報提供側システム、Ｇ１−Ｍ１：情報公開装置、Ｇ１−Ｍ２：業務処理装置、Ｇ１−Ｍ３：記憶装置、Ｇ２：情報端末使用側システム、Ｇ２−Ｍ３：情報端末側登録・更新・検索・削除装置、Ｇ３：情報端末使用側システム、Ｇ３−Ｍ３：情報端末側登録・更新・検索・削除装置、Ｇ４：ネットワーク
Ｅ１：装置、Ｅ１−Ｈ１：中央演算装置、Ｅ１−Ｈ２：主記憶装置、Ｅ１−Ｈ３：補助記憶装置、Ｅ１−Ｈ４：表示装置、Ｅ１−Ｈ５：入力装置、Ｅ１−Ｈ６：通信装置、Ｅ１−Ｈ７：外部記憶媒体制御装置、Ｅ１−Ｈ８：内部経路
【図１】
2005286725.tif 000003
【図２】
2005286725.tif 000004
【図３】
2005286725.tif 000005
【図４】
2005286725.tif 000006
【図５】
2005286725.tif 000007
【図６】
2005286725.tif 000008
【図７】
2005286725.tif 000009
【図８】
2005286725.tif 000010
【図９】
2005286725.tif 000011
【図１０】
2005286725.tif 000012
【図１１】
2005286725.tif 000013
【図１２】
2005286725.tif 000014
【図１３】
2005286725.tif 000015
【図１４】
2005286725.tif 000016
【図１５】
2005286725.tif 000017
【図１６】
2005286725.tif 000018
【図１７】
2005286725.tif 000019
【図１８】
2005286725.tif 000020
【図１９】
2005286725.tif 000021
【図２０】
2005286725.tif 000022
【図２１】
2005286725.tif 000023
【図２２】
2005286725.tif 000024
【図２３】
2005286725.tif 000025
【図２４】
2005286725.tif 000026
【図２５】
2005286725.tif 000027
【図２６】
2005286725.tif 000028
【図２７】
2005286725.tif 000029
【図２８】
2005286725.tif 000030
【図２９】
2005286725.tif 000031